(57)【特許請求の範囲】
【請求項１】
扉枠の上部及び下部の少なくとも一方の水平枠部に沿って移動可能とされた支持手段によって、垂直回転中心軸線の周りで回動可能に支持され、閉扉状態から、該垂直回転中心軸線の周りで正若しくは逆方向に回動されることにより扉開口を開放する扉の開閉装置であって、
基端が、閉扉時の扉の一方の扉側部縁に隣接する扉枠に回動可能に取り付けられる回動アームであって、閉扉時において、該水平枠部と該水平枠部に隣接する該扉の上部若しくは下部の扉水平縁部との間を延びるように配置され、先端が該垂直回転中心軸線よりも該扉側部縁に近い位置で該扉水平縁部に枢着されている回動アームと、
該回動アームの該基端を該扉枠に回動可能に取り付けるアーム取付手段であって、該回動アームが、閉扉時の状態から該基端を中心に第１方向に回動されるときに、閉扉時の扉における該垂直回転中心軸線から該扉水平縁部の伸張方向に延びる仮想垂直面を基準として該仮想垂直面から該第１方向側に所定間隔はなれた第１垂直軸線の周りで当該回動アームが回動するようにし、また、該第１方向とは反対の第２方向に回動されるときには、該仮想垂直面を中心に該第１垂直軸線とは対称位置にある第２垂直軸線の周りで回動するようにするアーム取付手段と、
を有することを特徴とする扉の開閉装置。
【請求項２】
該回動アームの該先端が閉扉時の扉の厚みの中心位置で該扉水平縁部に枢着されており、
該アーム取付手段が、
該第１垂直軸線及び第２垂直軸線をそれぞれ中心軸線とする、該水平枠部に取り付けられた第１及び第２ピンと、
該回動アームの該基端に設けられ該水平枠部に面する回動案内穴を有し、該回動案内穴を画定する周縁に、閉扉時に該第１及び第２ピンに係合する第１及び第２係合部を備え、
閉扉時の状態から該回動アームが該基端を中心に第１方向に回動されるときに、第１係合部が第１ピンに係合して、該第１ピンを中心に該回動アームが回動し、第２方向に回動するときには、第２係合部が第２ピンに係合して、該第２ピンを中心に該回動アームが回動するようにした
ことを特徴とする請求項１に記載の扉の開閉装置。
【請求項３】
該回動案内穴の周縁が、該第１及び第２係合部を第１及び第２の頂点とし、第３の頂点が第１及び第２頂点よりも扉開口の外側位置に位置するようにした正三角形の該第３の頂点に第３係合部を有し、
該回動アームが、閉扉時の状態から該第１ピンを中心に該第１方向に所定角度回動された後は、第３係合部が第２ピンに係合して、該第２ピンを中心に同方向に回動され、また、閉扉時の状態から該第２ピンを中心に該第２方向に所定角度回動された後は、該第３係合部が第１ピンに係合して、該第１ピンを中心に同方向に回動されるようにした請求項２に記載の扉の開閉装置。
【請求項４】
該回動アームの該先端が閉扉時の扉の厚みの中心位置で該扉水平縁部に枢着されており、
該アーム取付手段が、
該第１垂直軸線及び第２垂直軸線をそれぞれ中心軸線とする、該回動アームの扉水平縁部に取り付けられた第１及び第２ピンと、
該水平枠部に設けられ該回動アームの該基端に面する回動案内穴を有し、該回動案内穴を画定する周縁に、閉扉時に該第１及び第２ピンに係合する第１及び第２係合部を備え、
閉扉時の状態から該回動アームが該基端を中心に第１方向に回動されるときに、該第１ピンが該第１係合部に係合して、該第１係合部を中心に該回動アームが回動し、第２方向に回動するときには、該第２ピンが該第２係合部に係合して、該第２係合部を中心に該回動アームが回動するようにした
ことを特徴とする請求項１に記載の扉の開閉装置。
【請求項５】
該回動案内穴の周縁が、該第１及び第２係合部を第１及び第２の頂点とし、第３の頂点が第１及び第２頂点よりも扉開口の内側位置に位置するようにした正三角形の該第３の頂点に第３係合部を有し、
該回動アームが、閉扉時の状態から該第１係合部を中心に該第１方向に所定角度回動された後は、第２ピンが第３係合部に係合して、該第３係合部を中心に同方向に回動され、閉扉時の状態から該第２係合部を中心に第２方向に所定角度回動された後は、該第１ピンが第３係合部に係合して、該第３係合部を中心に同方向に回動されるようにした請求項４に記載の扉の開閉装置。
【請求項６】
該回動案内穴の周縁が、該正三角形の一辺の長さを半径として、第１係合部を中心として第２及び第３係合部の間に延びる円弧状部分と、第２係合部を中心として第１及び第３係合部の間に延びる円弧状部分と、第３係合部を中心として第１及び第２係合部の間に延びる円弧状部分と、を有することを特徴とする請求項３若しくは請求項５に記載の扉の開閉装置。
【請求項７】
該扉及び該扉枠、該扉及び扉枠に前記の通り取り付けられた請求項１乃至６のいずれかに記載の扉開閉装置を備えた扉装置。
【請求項８】
該扉の上部及び下部の扉水平縁部、及び、該扉水平縁部に隣接する水平枠部間に取り付けられた一対の該開閉装置と、該一対の開閉装置の該回動アームの該基端間に連結されて、両基端が同期して該第１若しくは第２方向に回動するようにした同期連結杆とを有する請求項７に記載の扉装置。
【発明の詳細な説明】
【技術分野】
【０００１】
本発明は扉に関し、特に、スライドスイング式扉などと呼ばれ、扉枠の上部や下部の水平枠部に沿って移動可能とされた支持手段によって、垂直回転中心軸線の周りで回動可能に支持され、閉扉状態から、扉を該垂直回転中心軸線の周りで正方向若しくは逆方向に回動させながら、一方の側部枠に寄せることにより扉開口を開放するようにした扉の開閉装置、及び、そのような開閉装置を備えた扉装置に関する。
【背景技術】
【０００２】
この種の扉は、基端が、開扉時に扉が寄せられる側の側部枠に隣接して枢着され、先端が、上部及び下部の扉水平縁部の上述の垂直回転軸線よりも側部枠寄りの位置で枢着された一対の回動アームを備える。扉が垂直回転軸線を中心に正方向若しくは逆方向に回動されると、該回動アームもその基端を中心に回動され、それにより、当該扉は閉扉状態のときよりも約９０°回動しながら側部枠に移動させられて、当該扉開口を開くようになっている。（例えば、特許文献１）  
【０００３】
【特許文献１】特開２００２−２９５１１８号
【発明の開示】
【発明が解決しようとする課題】
【０００４】
上記扉は、閉扉時に扉側縁部が側部枠になるべく隙間なく接近した状態となるように取り付けられるが、前述の如く、扉は垂直回転中心軸線の周りで回動されるために、側部枠に隣接した扉側縁部の端面は、当該扉が回動されるに従い、側部枠に対して傾斜し、そのため、該端面の一側が側部枠に近づく。更に、扉は、上述のように、該扉が回動されることに伴って回動される回動アームの作用によって、該側部枠に近づくようにされる。このため、開扉動作の時の初めの段階で、該端面が側部枠に近づく度合いが高く、それによる接触を回避するためには、閉扉時の扉側部縁を側部枠からある程度の隙間をおいて設定するようにしなければならず、また、側部枠に隣接する壁も扉との接触を回避するような位置にしなければならなかった。
【０００５】
本発明は、以上のような点に鑑み、扉の側部端面が側部枠側にあまり近づかないようにして扉を開扉することができる扉開閉装置及びそのような装置を備えた扉装置を提供することを目的としている。
【課題を解決するための手段】
【０００６】
すなわち、本発明は、
扉枠の上部及び下部の少なくとも一方の水平枠部に沿って移動可能とされた支持手段によって、垂直回転中心軸線の周りで回動可能に支持され、閉扉状態から、該垂直回転中心軸線の周りで正若しくは逆方向に回動されることにより扉開口を開放する扉の開閉装置であって、
基端が、閉扉時の扉の一方の扉側部縁に隣接する扉枠に回動可能に取り付けられる回動アームであって、閉扉時において、該水平枠部と該水平枠部に隣接する該扉の上部若しくは下部の扉水平縁部との間を延びるように配置され、先端が該垂直回転中心軸線よりも該扉側部縁に近い位置で該扉水平縁部に枢着されている回動アームと、
該回動アームの該基端を該扉枠に回動可能に取り付けるアーム取付手段であって、該回動アームが、閉扉時の状態から該基端を中心に第１方向に回動されるときに、閉扉時の扉における該垂直回転中心軸線から該扉水平縁部の伸張方向に延びる仮想垂直面を基準として該仮想垂直面から該第１方向側に所定間隔はなれた第１垂直軸線の周りで当該回動アームが回動するようにし、また、該第１方向とは反対の第２方向に回動されるときには、該仮想垂直面を中心に該第１垂直軸線とは対称位置にある第２垂直軸線の周りで回動するようにするアーム取付手段と、
を有することを特徴とする扉の開閉装置を提供する。
この開閉装置によれば、回動アームがその基端を中心にして第１方向に回動されるときは、上記仮想垂直面を基準として該第１方向側にある第１垂直軸線の周りで回動されるので、回動の初めの所定角度範囲においては、当該回動アームの扉に枢着されている枢着点が、閉扉時の位置よりも側部枠から離れるようにされながら回動する。従って、該回動アームに枢着されている扉も側部枠から離れるように変位しながら回動する。すなわち、前述の従来の開閉装置においては、回動アームの基端が仮想垂直軸面上にある枢軸を中心に回動するようになっていたため、当該回動アームの回動がはじめられると同時に、回動アームの扉との枢着点（従って扉）が側部枠に近づくように変位されていたために上述のような問題が生じていたところ、本発明では、回動アームの回動が始められて所定の角度範囲内では同枢着点（従って扉）が側部枠から離れる方向に動かされるために、該扉側部縁の側部枠への接近量は小さくなり、従って、閉扉時の扉側部縁を側部枠により近接した状態で設定することが可能となる。
【０００７】
具体的には、
該回動アームの該先端が閉扉時の扉の厚みの中心位置で該扉水平縁部に枢着されており、
該アーム取付手段が、
該第１垂直軸線及び第２垂直軸線をそれぞれ中心軸線とする、該水平枠部に取り付けられた第１及び第２ピンと、
該回動アームの該基端に設けられ該水平枠部に面する回動案内穴を有し、該回動案内穴を画定する周縁に、閉扉時に該第１及び第２ピンに係合する第１及び第２係合部を備え、
閉扉時の状態から該回動アームが該基端を中心に第１方向に回動されるときに、第１係合部が第１ピンに係合して、該第１ピンを中心に該回動アームが回動し、第２方向に回動するときには、第２係合部が第２ピンに係合して、該第２ピンを中心に該回動アームが回動するようにすることができる。
【０００８】
より具体的には、
該回動案内穴の周縁が、該第１及び第２係合部を第１及び第２の頂点とし、第３の頂点が第１及び第２頂点よりも扉開口の外側位置に位置するようにした正三角形の該第３の頂点に第３係合部を有し、
該回動アームが、閉扉時の状態から該第１ピンを中心に該第１方向に所定角度回動された後は、第３係合部が第２ピンに係合して、該第２ピンを中心に同方向に回動され、また、閉扉時の状態から該第２ピンを中心に該第２方向に所定角度回動された後は、該第３係合部が第１ピンに係合して、該第１ピンを中心に同方向に回動されるようにすることができる。
【０００９】
他の具体的な例としては、
該回動アームの該先端が閉扉時の扉の厚みの中心位置で該扉水平縁部に枢着されており、
該アーム取付手段が、
該第１垂直軸線及び第２垂直軸線をそれぞれ中心軸線とする、該回動アームの扉水平縁部に取り付けられた第１及び第２ピンと、
該水平枠部に設けられ該回動アームの該基端に面する回動案内穴を有し、該回動案内穴を画定する周縁に、閉扉時に該第１及び第２ピンに係合する第１及び第２係合部を備え、
閉扉時の状態から該回動アームが該基端を中心に第１方向に回動されるときに、該第１ピンが該第１係合部に係合して、該第１係合部を中心に該回動アームが回動し、第２方向に回動するときには、該第２ピンが該第２係合部に係合して、該第２係合部を中心に該回動アームが回動するようにすることができる。
【００１０】
この場合、該回動案内穴の周縁が、該第１及び第２係合部を第１及び第２の頂点とし、第３の頂点が第１及び第２頂点よりも扉開口の内側位置に位置するようにした正三角形の該第３の頂点に第３係合部を有し、
該回動アームが、閉扉時の状態から該第１係合部を中心に該第１方向に所定角度回動された後は、第２ピンが第３係合部に係合して、該第３係合部を中心に同方向に回動され、閉扉時の状態から該第２係合部を中心に第２方向に所定角度回動された後は、該第１ピンが第３係合部に係合して、該第３係合部を中心に同方向に回動されるようにすることができる。
【００１１】
上記第１乃至第３係合部を備える回動案内穴の場合には、その周縁が、上記正三角形の一辺の長さを半径として、第１係合部を中心として第２及び第３係合部の間に延びる円弧状部分と、第２係合部を中心として第１及び第３係合部の間に延びる円弧状部分と、第３係合部を中心として第１及び第２係合部の間に延びる円弧状部分と、を有するようにすることが好ましい。
【００１２】
本発明ではまた、扉及び扉枠、該扉及び扉枠に前記の通り取り付けられた扉開閉装置を備えた扉装置を提供する。
【００１３】
好ましくは、扉の上部及び下部の扉水平縁部、及び、該扉水平縁部に隣接する水平枠部間に取り付けられた一対の該開閉装置と、該一対の開閉装置の該回動アームの該基端間に連結されて、両基端が同期して該第１若しくは第２方向に回動するようにした同期杆とを有するものとする。
【発明の効果】
【００１４】
本発明によれば、閉扉時から扉の回動開放動作を始めた場合に、従来のものに比べて、その扉側部縁がそれに隣接している側部枠や壁に接近しないようにすることが出来、従って、扉を扉枠内に設定するときに、閉扉時における扉側縁部と側部枠との間の隙間を小さくすることができる。
【発明を実施するための最良の形態】
【００１５】
以下、本発明に係る扉装置及びその開閉装置の実施形態につき説明する。
【００１６】
図１は、本発明に係る閉扉状態の扉装置１０の正面図であり、該扉装置１０は、上部及び下部の水平枠部１２，１４、及び、側部枠１６，１８を備える扉枠２０と、該扉枠内に設定された扉２２と、該扉２２の上部及び下部の扉水平縁部２４，２６及びそれに対応する水平枠部１２，１４の間に設定された開閉装置２８，３０とを備えている。
【００１７】
扉２２は、上部の水平枠部１２に設けられたレール３２に沿って移動可能とされた支持手段３４によって吊下げられており、該支持手段３４の中央部分を通る垂直回転中心軸線３６の周りで回動可能にされている。下部の水平枠部には、レール３２に対応するレール溝（図示せず）が設けられ、扉水平縁部２６に垂直回転軸線３６に沿って設けられたガイドピン３４´が該レール溝に沿って案内されるようになっており、支持手段３４と共に、扉２２が垂直回転軸線３６の周りで回動可能なるようにすると共に、上部及び下部の水平枠部１２，１４に沿って移動可能なるようにしている。
【００１８】
開閉装置２８，３０は構成が同じであるから、上部の開閉装置２８につき説明する。
【００１９】
該開閉装置２８は、回動アーム３８を備えており、該回動アーム３８はその基端（図１で右端）４０が、図１に示す閉扉時の扉２２の一方の扉側部縁４２に隣接する水平枠部１２の右端部に取り付けられた第１及び第２ピン４４，４６（図２）の周りで回動可能なるように取り付けられ、閉扉時において、水平枠部１２と扉水平縁部２４との間を水平に延びるように配置され、先端４１が垂直回転中心軸線３６よりも該扉側部縁４２に近い位置で枢着ピン４８により扉水平縁部２４に枢着されている。
【００２０】
詳細には、第１及び第２ピン４４，４６は、図２に示すように、扉の厚み方向中央を通る該垂直回転中心軸線３６から、閉扉時の扉における該扉水平縁部２４の伸張方向に延びる仮想垂直面５０の両側で該仮想垂直面から所定間隔はなれた第１及び第２垂直軸線５２，５４を中心軸線として、水平枠部１２に固定されている。アーム３８の基端４０にはほぼ正三角形の（図示の例では当該アーム３８を上下方向で貫通している）回動案内穴５６が設けられており、図示の閉扉時においては第１及び第２ピン４４，４６が、当該回動案内穴の第１及び第２の頂点５８，６０に係合されるようになっている。
【００２１】
このような開閉装置２８が取り付けられている扉２２に、例えば、図２にＦで示す力が加えられたとすると、扉２２は垂直回転軸線３６を中心に６２で示す反時計方向に回動されることになる。このとき、回動アーム３８は、枢着ピン４８によって扉２２に枢着されているので、図２で見て時計方向での回転モーメントが掛かり、従って、第１ピン４４を中心として（枢着ピン４８の軌跡で表わすと６４で示すように）回動する。
【００２２】
この場合の、回動アーム３８の回動動作が、図３に示されている。図３に示すように、上記のようにして扉２２が力Ｆによって押し開かれて第１ピンを中心に６０°だけ回動すると、回動案内穴５６の第３の頂点６６が第２ピン４６に係合するようになる。この状態で、扉２２が更に押し開かれ、回動アーム３８に時計方向の回転モーメントがかけられると、該回動アーム３８は第２ピン４６を中心に回動されるようになる。
【００２３】
扉２２に対して力Ｆとは逆方向での力が加わると、扉２２は垂直回転中心軸線３６を中心に逆の方向６８に回動され、従って、回動アーム３８も上記とは逆に回動される。従って、その場合の回動アーム３８の回動は、閉扉位置から初めの６０°の角度範囲では第１ピン４４を中心に、それ以上の角度範囲では第２ピン４６を中心に回動することになる。
回動案内穴５６は、第１及び第２のピンに対して、上記のように変位するものであり、従って、該回動案内穴の周縁は、正三角形の一辺（すなわち、頂点５８と６０、５８と６６、６０と６６との間の距離）の長さを半径として、第１の頂点５８を中心として第２及び第３の頂点の間に延びる円弧状部分と、第２の頂点６０を中心として第１及び第３の頂点の間に延びる円弧状部分と、第３の頂点６６を中心として第１及び第２の頂点の間に延びる円弧状部分と、を有するようにされており、図３を例にとれば、第１頂点５８に第１ピン４４が係合して、回動アームが該第１ピン４４を中心に回動するときには、第２及び第３頂点６０，６６間の円弧状部分が第２ピン４６に対して摺動し、第３頂点６６が第２ピン４６に係合し、該第２ピン４６を中心に回動するときには、第１及び第２頂点５８，６０の間の円弧状部分が第１ピン４４に対して摺動するようになっている。
【００２４】
以上から分るように、この扉装置においては、閉扉時から扉２２が垂直回転軸線３６を中心に回動されるときは、少なくともその初めの所定角度範囲においては、該扉に対する回動アーム３８の枢着点（図示の例では枢着ピン４８）が側部枠１６から離れる方向で変位しながら円弧状の軌道を描き、従って、扉側部縁４２はその分だけ、側部枠１６に接触しにくくなる。
【００２５】
図１に示す例では、第１及び第２ピン４４，４６は取付プレート７０に植設されており、該取付プレート７０を上部及び下部の水平枠部１２，１４上に固定することにより、該水平枠部に取り付けられている。また、回動アーム３８の回動案内穴５６を貫通して延びた第１及び第２ピン４４，４６の先端は、図示のように、直径が大きくされており、回動アーム３８が第１及び第２ピン４４，４６から抜け出ないようにしてある。
【００２６】
図４は、回動アーム３８の回動案内穴５６の変形例が示されている。すなわち、この回動案内穴５６では、上記実施形態における第１、第２及び第３頂点５８，６０，６６に対応する部分に凹部５８´、６０´、６６´が設けられている。これは回動案内穴５６の製作誤差等を考慮し、第１及び第２ピンの係合を確実にして、回動アームの円滑な回動を行わせるためのものである。
【００２７】
図５乃至図８は、扉開閉装置の他の実施形態を示している。
【００２８】
すなわち、上述の扉開閉装置では、回動案内穴５８が回動アーム３８に設けられ、第１及び第２ピン４４，４６が水平枠部１２，１４に設けられていたが、この他の実施形態においては、回動案内穴５６が水平枠部１２，１４に設けられ、第１及び第２ピン４４，４６が回動アーム３８に設けられるようにする。図５乃至図８は概念図であり、回動案内穴５８及び第１及び第２ピン４４，４６等は、それらの関係を明瞭にするために実線で示してある。この実施形態では、第１及び第２ピン４４，４６が、仮想垂直面５０の両側において回動アーム３８の基部４０上に取り付けられており、これに対して、該第１及び第２ピン４４，４６と係合する回動案内穴５６が水平枠部１２に設けられている。この回動案内穴５８は、閉扉時に第１及び第２ピン４４，４６と係合する第１及び第２の頂点５８，６０と、該第１及び第２の頂点よりも当該扉開口の内側位置とされた第３の頂点６６とを有しており、該第３の頂点６６の第１及び第２の頂点に対する位置が前述の実施形態のものとは逆になっている。
【００２９】
扉２２が、図５乃至図８に示すように回動される場合には、回動アーム２０に反時計方向の回転トルクが加えられるので、該回動アーム２０は先ず第２の頂点６０に係合している第２ピンを中心に回動し、６０°だけ回動すると、第１ピン４４が第３の頂点６６に係合して該第１ピンを中心に回動するようになる。
【００３０】
尚、この実施形態においては、回動アームの基端４０は、扉側縁部４２よりも扉開口の外側寄りに突出しており、上部及び下部の開閉装置２８，３０における回動アーム３８の基端４０が、ほぼ半円形状の水平断面とされて垂直方向に延びた同期連結杆７１によって連結され、当該回動アーム３８の基部４０を中心とする回動が同期して行われるようにしている。このようにすることにより、同期しない場合に生じる扉の捩れを防止している。従って、この実施例においては、側部枠１６に、該同期連結杆７０を通すための凹部７２が垂直方向で延びるよう設けられている。
【図面の簡単な説明】
【００３１】
【図１】本発明に係る扉開閉装置を装着した扉装置の閉扉時における正面図である。
【図２】本発明に係る扉開閉装置の概要説明図である。
【図３】同扉開閉装置の動作原理の説明図である。
【図４】扉開閉装置の他の実施形態における回動アームを示す図である。
【図５】更に別の実施形態に係る閉扉時における扉開閉装置の概念図である。
【図６】扉が開き始めた状態における同扉開閉装置の概念図である。
【図７】扉が更に開いた状態における同扉開閉装置の概念図である。
【図８】扉が完全に開いた状態における同扉開閉装置の概念図である。
【符号の説明】
【００３２】
扉装置              １０
水平枠部            １２、１４
側部枠              １６，１８
扉枠                ２０
扉                  ２２
扉水平縁部          ２４，２６
開閉装置            ２８，３０
レール              ３２
支持手段            ３４
ガイドピン          ３４´
垂直回転中心軸線    ３６
回動アーム          ３８
基端                ４０
先端                ４１
扉側部縁            ４２
第１ピン            ４４
第２ピン            ４６
枢着ピン            ４８
仮想垂直面          ５０
第１垂直軸線        ５２
第２垂直軸線        ５４
回動案内穴          ５６
第１頂点            ５８
第２頂点            ６０
第３頂点            ６６
凹部                ５８´、６０´、６６´
取付プレート        ７０
同期連結杆          ７１
凹部                ７２
【図１】
0004404825.tif 000002
【図２】
0004404825.tif 000003
【図３】
0004404825.tif 000004
【図４】
0004404825.tif 000005
【図５】
0004404825.tif 000006
【図６】
0004404825.tif 000007
【図７】
0004404825.tif 000008
【図８】
0004404825.tif 000009